(57)【要約】【課題】施工しやすい屋根の施工構造を提供する。【解決手段】屋根の施工構造は、下地１０に配置される軒側の屋根材２０と、軒側の屋根材２０の棟側に配置される棟側の屋根材３０と、棟側の屋根材３０の軒側端部３１が引っ掛けられる固定具４０と、を備える。棟側の屋根材３０は、軒方向Ｘに複数並べて配置される。軒方向Ｘで隣接する棟側の屋根材３０は側端部３２同士が突付けられている。棟側の屋根材３０の側端部３２同士の突付け箇所３３において、棟側の屋根材３０の軒側端部３１が固定具４０に引っ掛けられている。固定具４０は、下地１０に固定される固定部４１を有する。固定部４１は、下地１０と、棟側の屋根材３０と、軒側の屋根材２０と、で囲まれる空間Ｓに収容されている。【選択図】図１
2020159145.tif 000002
【特許請求の範囲】
【請求項１】
下地に配置される軒側の屋根材と、
前記軒側の屋根材の棟側に配置される棟側の屋根材と、
前記棟側の屋根材の軒側端部が引っ掛けられる固定具と、を備え、
前記棟側の屋根材は、軒方向に複数並べて配置され、
前記軒方向で隣接する前記棟側の屋根材は側端部同士が突付けられており、
前記棟側の屋根材の側端部同士の突付け箇所において、前記棟側の屋根材の軒側端部が前記固定具に引っ掛けられており、
前記固定具は、前記下地に固定される固定部を有し、
前記固定部は、前記下地と、前記棟側の屋根材と、前記軒側の屋根材と、で囲まれる空間に収容されている、
屋根の施工構造。
【請求項２】
請求項１において、
前記下地は、前記固定部が固定されている固定面と、前記固定面から立ち上がると共に軒棟方向において前記軒側の屋根材の棟側端部と間隔をあけて形成された立ち上がり面と、で階段状に形成され、
前記固定部は、前記軒側の屋根材の棟側端部と、前記立ち上がり面と、の間に位置している、
屋根の施工構造。
【請求項３】
請求項１又は２において、
前記突付け箇所において、前記下地と、前記棟側の屋根材との間に、防水板を更に備える、
屋根の施工構造。
【請求項４】
請求項１〜３のいずれか１項において、
前記屋根材が千鳥状に配置されている、
屋根の施工構造。
【請求項５】
請求項１〜４のいずれか１項において、
前記固定具の前記棟側の屋根材の軒側端部を引掛ける部位には、水抜き部を有する、
屋根の施工構造。
【請求項６】
下地に配置される軒側の屋根材と、前記軒側の屋根材の棟側に配置される棟側の屋根材と、引っ掛け部及び固定部を有する固定具と、を用いる屋根の施工方法であって、
前記引っ掛け部を前記軒側の屋根材の棟側端部の上方に配置すると共に、前記固定部を前記軒側の屋根材の棟側で前記下地に固定し、
前記引っ掛け部に棟側から前記棟側の屋根材を引っ掛けると共に、前記棟側の屋根材を軒方向に複数並べて側端部同士を突付けることによって、前記下地と、前記棟側の屋根材と、前記軒側の屋根材と、で囲まれる空間に前記固定部を収容する、
屋根の施工方法。
【請求項７】
下地に配置される軒側の屋根材と、前記軒側の屋根材の棟側に配置される棟側の屋根材と、を備える屋根の施工構造において、前記棟側の屋根材の軒側端部が引っ掛けられる固定具であって、
軒方向で隣接する前記棟側の屋根材の側端部同士の突付け箇所において、前記棟側の屋根材の軒側端部が引っ掛け可能な引っ掛け部と、
前記下地と、前記棟側の屋根材と、前記軒側の屋根材と、で囲まれる空間に収容される固定部と、を備えている、
固定具。
【発明の詳細な説明】
【技術分野】
【０００１】
本発明は、屋根の施工構造、屋根の施工方法及び固定具に関する。より詳細には、固定具及びこの固定具を使用した屋根の施工構造、屋根の施工方法に関する。
【背景技術】
【０００２】
特許文献１には、外装材の取付構造が記載されている。この外装材の取付構造では、外装材を防水兼取付具で屋根下地に取り付けている。防水兼取付具は、敷目板の軒側端部に係止片を表面側に立ち上げて設け、係止片と敷目板との間に係止溝を形成している。また敷目板の棟側端部に支持片を表面側に立ち上げて設け、支持片と敷目板との間に支持溝を形成している。
【０００３】
そして、防水兼取付具を屋根下地に固定した後、防水兼取付具の側方から外装材を近づけ、外装材の軒側端部を係止溝に側方から差し込み、外装材の棟側端部を支持溝に側方から差し込むことによって、外装材を屋根下地に施工している。
【先行技術文献】
【特許文献】
【０００４】
【特許文献１】特開２００２−０２１２５８号公報
【発明の概要】
【発明が解決しようとする課題】
【０００５】
しかし、特許文献１に記載された発明では、外装材の軒側端部及び棟側端部をそれぞれ狭い係止溝と支持溝に側方から差し込まなければならず、施工しにくいという問題があった。
【０００６】
本発明は、上記事由に鑑みてなされており、施工しやすい屋根の施工構造、屋根の施工方法及び固定具を提供することを目的とする。
【課題を解決するための手段】
【０００７】
本発明の一態様に係る屋根の施工構造は、軒側の屋根材と、棟側の屋根材と、固定具とを備える。前記軒側の屋根材は、下地に配置される。前記棟側の屋根材は、前記軒側の屋根材の棟側に配置される。前記固定具は、前記棟側の屋根材の軒側端部が引っ掛けられる。前記棟側の屋根材は、軒方向に複数並べて配置される。前記軒方向で隣接する前記棟側の屋根材は側端部同士が突付けられている。前記棟側の屋根材の側端部同士の突付け箇所において、前記棟側の屋根材の軒側端部が前記固定具に引っ掛けられている。前記固定具は、前記下地に固定される固定部を有する。前記固定部は、前記下地と、前記棟側の屋根材と、前記軒側の屋根材と、で囲まれる空間に収容されている。
【０００８】
本発明の一態様に係る屋根の施工方法は、軒側の屋根材と、棟側の屋根材と、固定具とを用いる。軒側の屋根材は、下地に配置される。棟側の屋根材は、前記軒側の屋根材の棟側に配置される。前記固定具は、引っ掛け部及び固定部を有する。前記引っ掛け部を前記軒側の屋根材の棟側端部の上方に配置すると共に、前記固定部を前記軒側の屋根材の棟側で前記下地に固定する。前記引っ掛け部に棟側から前記棟側の屋根材を引っ掛けると共に、前記棟側の屋根材を軒方向に複数並べて側端部同士を突付けることによって、前記下地と、前記棟側の屋根材と、前記軒側の屋根材と、で囲まれる空間に前記固定部を収容する。
【０００９】
本発明の一態様に係る固定具は、下地に配置される軒側の屋根材と、前記軒側の屋根材の棟側に配置される棟側の屋根材と、を備える屋根の施工構造において、前記棟側の屋根材の軒側端部が引っ掛けられる固定具である。軒方向で隣接する前記棟側の屋根材の側端部同士の突付け箇所において、前記棟側の屋根材の軒側端部が引っ掛け可能な引っ掛け部と、前記下地と、前記棟側の屋根材と、前記軒側の屋根材と、で囲まれる空間に収容される固定部と、を備えている。
【発明の効果】
【００１０】
本発明によれば、棟側の屋根材を施工する際には、棟側の屋根材の軒側端部を固定具に棟側から近づけて引っ掛けることができ、棟側の屋根材が施工しやすい、という利点がある。
【図面の簡単な説明】
【００１１】
【図１】図１は、本発明に係る屋根の施工構造の一実施形態を示す断面図である。
【図２】図２Ａは、本発明に係る固定具の一実施形態を示す斜視図である。図２Ｂは、本発明に係る屋根の施工構造の一実施形態で使用する防水板を示す斜視図である。
【図３】図３は、本発明に係る屋根の施工構造の一実施形態で使用する既存の屋根を示す斜視図である。
【図４】図４は、本発明に係る屋根の施工構造の一実施形態で使用する下地を示す斜視図である。
【図５】図５は、本発明に係る屋根の施工方法の一実施形態を示す斜視図である。
【図６】図６は、本発明に係る屋根の施工方法の一実施形態を示す斜視図である。
【図７】図７は、本発明に係る屋根の施工方法の一実施形態を示す斜視図である。
【図８】図８は、本発明に係る屋根の施工方法の一実施形態を示す斜視図である。
【図９】図９は、本発明に係る屋根の施工方法の一実施形態を示す斜視図である。
【図１０】図１０は、本発明に係る屋根の施工構造の一実施形態を示す平面図である。
【発明を実施するための形態】
【００１２】
（実施形態）
図１に本実施形態に係る屋根の施工構造を示す。本実施形態では、既存の屋根の改修について説明する。本実施形態に係る屋根の施工構造は、下地１０に配置される軒側の屋根材２０と、軒側の屋根材２０の棟側に配置される棟側の屋根材３０と、棟側の屋根材３０の軒側端部３１が引っ掛けられる固定具４０と、を備える。
【００１３】
下地１０は、既存の屋根とルーフィング１４とを備える。既存の屋根は、垂木１１１と、野地板１１２と、既存の屋根材１３とを備えている。既存の屋根材１３は、例えば、窯業系の屋根材であって、平板状に形成されており、野地板１１２の上に複数配置されている。
【００１４】
図３に示すように、軒方向Ｘで隣接する既存の屋根材１３は側端部同士が突付けて配置されている。また軒棟方向（軒方向Ｘと直交する方向）で隣接する既存の屋根材１３は、一部が重なっている。すなわち、軒側の既存の屋根材１３の棟側上面に、棟側の既存の屋根材１３の軒側端部が載置されている。したがって、複数の屋根材１３を備える既存の屋根の上面は階段状に形成されている。すなわち、既存の屋根の上面は、棟側に向かう方向に上り傾斜する階段のような形状を有している。なお、符号６５は水切りである。
【００１５】
ルーフィング１４はアスファルトルーフィングなどであって、既存の屋根の上面に載置される。またルーフィング１４は複数の屋根材１３の全面を覆うように配置される。ルーフィング１４は柔軟性のあるシートであるため、既存の屋根の上面の形状に沿うように配置される。したがって、ルーフィング１４で構成される下地１０の上面も階段状に形成されている。
【００１６】
軒側の屋根材２０と棟側の屋根材３０としては同じ形状のものを使用することができ、例えば、窯業系で平板状の屋根材である。図９に示すように、棟側の屋根材３０は、軒方向Ｘに複数並べて配置される。軒方向Ｘで隣接する棟側の屋根材３０は側端部３２同士が突付けられており、突付け箇所３３が形成されている。この突付け箇所３３において、棟側の屋根材３０の軒側端部３１は固定具４０に引っ掛けられている。また固定具４０は、下地１０に固定される固定部４１を有していて、下地１０と、棟側の屋根材３０と、軒側の屋根材２０と、で囲まれる空間Ｓに収容されている。
【００１７】
固定具４０は、金属製の金具であって、図２Ａに示すように、固定部４１を有している。固定部４１には厚み方向に貫通する複数の孔部４６が形成されている。複数の孔部４６は、固定具４０が施工された状態で軒方向Ｘに沿った方向に並ぶように形成されている。固定部４１の一端（軒側端部）には突出部４５が設けられている。突出部４５は固定部４１から上方に向かって垂直に突出している。突出部４５の上端には載置部４４が設けられている。載置部４４は突出部４５から軒側に向かって垂直に突出している。載置部４４の軒側端部には引っ掛け部４３が設けられている。引っ掛け部４３は、載置部４４の軒側端部から上方に向かって垂直に突出している支持部４３１と、支持部４３１の上端から棟側に向かって垂直に突出している押さえ部４３２とで構成されている。また引っ掛け部４３には水抜き部４２が形成されている。水抜き部４２は載置部４４と引っ掛け部４３との間の空間に水が溜まりにくくするための切欠き（孔）であり、引っ掛け部４３を厚み方向で貫通するように形成されている。すなわち、水抜き部４２は支持部４３１を軒棟方向で貫通し、押さえ部４３２を上下方向で貫通している。水抜き部４２は引っ掛け部４３の軒方向Ｘの中央部に位置している。
【００１８】
図２Ｂは、防水板５０である。防水板５０は金属製の板材であって、突付け箇所３３の防水性の向上のために使用される。防水板５０は軒棟方向に延びる基板５１を主体として構成されている。基板５１の短手方向の両端にはリブ５２が形成されている。リブ５２は防水板５０の強度向上及び水返しのために設けられており、基板５１の表面から凹んで形成されている。基板５１の短手方向の中央部には溝部５３が形成されている。溝部５３は基板５１上に落ちた水を軒側に流す溝である。溝部５３は軒棟方向に延びるように形成されている。基板５１の長手方向の一端（軒側端部）には突起５４が設けられている。突起５４は、固定具４０の水抜き部４２に差し込まれて防水板５０の位置決めを行う作用を有する。また突起５４は、溝部５３を軒側に延ばした先に形成されている。したがって、溝部５３を流れる水が突起５４に到達し、突起５４から水抜き部４２に導入され、その後、水抜き部４２から軒側の屋根材２０の上に排水される。したがって、突起５４により防水板５０の排水性能が向上する。基板５１の長手方向の棟側端部には折り返し部５５が形成されている。折り返し部５５は防水板５０の棟側端部から水が裏面に回り込まないようにするためのものである。これにより、防水板５０の防水性能が向上する。
【００１９】
本実施形態に係る屋根材の施工方法は、次のようにして行われる。
【００２０】
まず、図３のような既存の屋根の上面に、図１及び図４に示すようにルーフィング１４を配置して下地１０を形成する。さらに既存の屋根の軒先に新規の水切り材６１を配置する。水切り材６１は、金属製の部材であって、軒側端部に嵌合部６４が形成され、棟側端部に固定片６３が設けられている。また軒棟方向の中央部には山部６２が設けられている。山部６２は上方に突出するように形成されている。水切り材６１は既存の屋根の軒側端部の全長にわたって設けられる。次に、図５に示すように、複数の固定具４０を軒方向Ｘに所定の間隔をおいて配置する。固定具４０は固定部４１を固定片６３の上に載せ、ビス等の留め具６０で下地１０に固定する。次に、各固定具４０に防水板５０を組み合わせて配置する。この後、複数の軒側の屋根材２０を軒方向Ｘに並べて配置する。ここで、軒側の屋根材２０の軒側端部２１は、下地１０に固定した固定具４０に引っ掛けられる。また、軒方向Ｘで隣接する軒側の屋根材２０の側端部同士は、防水板５０の上方で突付けて配置される。
【００２１】
次に、軒側の屋根材２０の棟側端部に固定具４０を配置する。ここで、固定具４０は、軒側の屋根材２０の軒方向Ｘの中央部において棟側端部２２に配置される。固定具４０の固定部４１は、軒側の屋根材２０の棟側において、留め具６０で下地１０に固定される。すなわち、固定部４１が固定される固定面１１は、軒側の屋根材２０の棟側端部２２よりも棟側における下地１０の表面である。また立ち上がり面１２は既存の屋根材１３の軒側端面に対応する位置における下地１０の表面である。立ち上がり面１２は、固定面１１から立ち上がると共に軒棟方向において軒側の屋根材２０の棟側端部２２と間隔をあけて形成されている。既存の屋根の上面は、固定面１１と立ち上がり面１２とで階段状に形成される。そして、固定部４１は、軒側の屋根材２０の棟側端部２２の棟側に間隔をあけて形成された立ち上がり面１２よりも軒側に位置して固定されている。また固定具４０の載置部４４は軒側の屋根材２０の棟側端部２２の上面に載置される。したがって、固定具４０の引っ掛け部４３は軒側の屋根材２０の上面よりも上方に位置している。また固定具４０の水抜き部４２は軒側の屋根材２０の上面の上方に位置している。このようにして複数の固定具４０を軒方向Ｘに所定の間隔で並べて配置する。
【００２２】
次に、固定具４０に防水板５０を組み合わせて配置する。防水板５０は固定具４０に棟側から近づけて配置する。防水板５０の軒側端部は載置部４４の上に載せられる。また防水板５０の棟側端部は立ち上がり面１２において段差が生じている下地１０の上面に載置される。したがって、防水板５０は固定部４１の上方に位置している。さらに、防水板５０の突起５４は固定具４０の水抜き部４２に差し込まれる。このようにして複数の防水板５０を軒方向Ｘに所定の間隔で並べて配置する。
【００２３】
次に、図７に示すように、固定具４０及び防水板５０の棟側から、棟側の屋根材３０を近づける。棟側の屋根材３０の軒側端部３１は引っ掛け部４３に引っ掛かけられる。すなわち、棟側の屋根材３０の軒側端部３１は、基板５１と押さえ部４３２との間の空間に差し込まれると共に、棟側の屋根材３０の軒側端面が支持部４３１に当てられる。次に、図８に示すように、他の棟側の屋根材３０を上記軒側の屋根材３０の側方から近づけて、上記と同様にして、固定具４０に引っ掛ける。このようにして複数の棟側の屋根材３０を軒方向Ｘに並べて配置する。また棟側の屋根材３０の軒側端部３１は軒側の屋根材２０の棟側端部２２の上面に載置される（図１０参照）。
【００２４】
ここで、軒方向Ｘで隣接する棟側の屋根材３０は側端部３２同士が突付けて配置される。この側端部３２同士の突付け箇所３３は防水板５０の上方であり、特に、溝部５３の上方である。したがって、突付け箇所３３にある側端部３２間の隙間から浸入した雨水等の水は防水板５０の上（特に、溝部５３）に落下しやすくなる。また防水板５０の上に落下した水は、防水板５０の上面を流れて引っ掛け部４３にまで到達し、水抜き部４２から排水される。水抜き部４２から排水された水は、軒側の屋根材２０の上面に流れる。
【００２５】
上記のようにして複数の屋根材２０，３０は千鳥状に配置され、新規の屋根が形成される。すなわち、新規の屋根材２０，３０で既存の屋根が覆われて屋根の改修が行われる。そして、上記のような屋根の施工構造では、固定部４１は、下地１０と、棟側の屋根材３０と、軒側の屋根材２０と、で囲まれる空間Ｓに収容されている。すなわち、固定部４１は固定面１１と、固定面１１から立ち上がる立ち上がり面１２と、軒側の屋根材２０の棟側端部２２との間に位置している。したがって、棟側の屋根材３０を施工する際には、棟側の屋根材３０の軒側端部３１を固定具４０に棟側から近づけて引っ掛けることができ、棟側の屋根材３０が施工しやすい。また固定部４１の固定箇所（留め具６０の箇所）が防水板５０及び棟側の屋根材３０で覆われるため、水が到達しにくくなり、屋根の防水性が向上する。
【００２６】
（変形例）
実施形態１は、本開示の様々な実施形態の一つに過ぎない。実施形態１は、本開示の目的を達成できれば、設計等に応じて種々の変更が可能である。
【００２７】
上記では、既存屋根の改修について説明したが、これに限られず、本実施形態に係る屋根の施工構造、屋根の施工方法及び固定具は、新築の屋根についても適用される。この場合、下地１０は上面が階段状に形成されていてもよいが、下地１０は上面がフラットに形成されていてもよい。
【００２８】
上記では、突付けられた２枚の屋根材２０又は３０の軒側端部２１又は３１を１つの固定具４０に引掛けているが、これに限定されず、各軒側端部２１又は３１に対して１つの固定具４０で引掛けてもよい。
【００２９】
（まとめ）
以上説明したように、第１の態様に係る屋根の施工構造は、下地１０に配置される軒側の屋根材２０と、軒側の屋根材２０の棟側に配置される棟側の屋根材３０と、棟側の屋根材３０の軒側端部３１が引っ掛けられる固定具４０と、を備える。棟側の屋根材３０は、軒方向Ｘに複数並べて配置される。軒方向Ｘで隣接する棟側の屋根材３０は側端部３２同士が突付けられている。棟側の屋根材３０の側端部３２同士の突付け箇所３３において、棟側の屋根材３０の軒側端部３１が固定具４０に引っ掛けられている。固定具４０は、下地１０に固定される固定部４１を有する。固定部４１は、下地１０と、棟側の屋根材３０と、軒側の屋根材２０と、で囲まれる空間Ｓに収容されている。
【００３０】
この態様によれば、棟側の屋根材３０を施工する際には、棟側の屋根材３０の軒側端部３１を固定具４０に棟側から近づけて引っ掛けることができ、棟側の屋根材３０が施工しやすい、という利点がある。
【００３１】
第２の態様に係る屋根の施工構造は、第１の態様において、下地１０は、固定部４１が固定されている固定面１１と、固定面１１から立ち上がると共に軒棟方向において軒側の屋根材２０の棟側端部２２と間隔をあけて形成された立ち上がり面１２と、で階段状に形成される。固定部４１は、軒側の屋根材２０の棟側端部２２と、立ち上がり面１２と、の間に位置している。
【００３２】
この態様によれば、固定具４０が下地１０の立ち上がり面１２よりも下方に配置されて踏まれにくくなり、屋根材２０，３０の踏み割れを低減することができる、という利点がある。
【００３３】
第３の態様に係る屋根の施工構造は、第１又は２の態様において、突付け箇所３３において、下地１０と、棟側の屋根材３０との間に、防水板５０を更に備える。
【００３４】
この態様によれば、突付け箇所３３の下側に防水板５０を配置することができ、突付け箇所３３から浸入する雨水等の水を防水板５０で受けて防水性を向上することができる、
という利点がある。
【００３５】
第４の態様に係る屋根の施工構造は、第１〜３のいずれか１つの態様において、屋根材２０、３０が千鳥状に配置されている。
【００３６】
この態様によれば、屋根材２０，３０の側端部が他の屋根材２０，３０で支持されやすくなって、踏み割れを低減することができる、という利点がある。
【００３７】
第５の態様に係る屋根の施工構造は、第１〜４のいずれか１つの態様において、固定具４０の棟側の屋根材３０の軒側端部３１を引掛ける部位には、水抜き部４２を有する。
【００３８】
この態様によれば、固定具４０と棟側の屋根材３０の軒側端部３１との間に雨水等の水が溜まりにくくなり、屋根の防水性を向上し、固定具４０の劣化を低減することができる、という利点がある。また水抜き部４２を目安にして棟側の屋根材３０を固定具４０に引っ掛けることができ、固定具４０に対する棟側の屋根材３０の位置合わせが容易になる、という利点がある。
【００３９】
第６の態様に係る屋根の施工方法は、下地１０に配置される軒側の屋根材２０と、軒側の屋根材２０の棟側に配置される棟側の屋根材３０と、引っ掛け部４３及び固定部４１を有する固定具４０と、を用いる。引っ掛け部４３を軒側の屋根材２０の棟側端部２２の上方に配置すると共に、固定部４１を軒側の屋根材２０の棟側で下地１０に固定する。引っ掛け部４３に棟側から棟側の屋根材３０を引っ掛けると共に、棟側の屋根材３０を軒方向Ｘに複数並べて側端部３２同士を突付けることによって、下地１０と、棟側の屋根材３０と、軒側の屋根材２０と、で囲まれる空間Ｓに固定部４１を収容する。
【００４０】
この態様によれば、棟側の屋根材３０を施工する際には、棟側の屋根材３０の軒側端部３１を固定具４０に棟側から近づけて引っ掛け部４３に引っ掛けることができ、棟側の屋根材３０の施工作業が軽減される、という利点がある。
【００４１】
第７の態様に係る固定具は、下地１０に配置される軒側の屋根材２０と、軒側の屋根材２０の棟側に配置される棟側の屋根材３０と、を備える屋根の施工構造において、棟側の屋根材３０の軒側端部３１が引っ掛けられる。固定具４０は引っ掛け部４３と、固定部４１と、を備えている。引っ掛け部４３は、軒方向Ｘで隣接する棟側の屋根材３０の側端部３２同士の突付け箇所３３において、棟側の屋根材３０の軒側端部３１が引っ掛け可能である。固定部４１は、下地１０と、棟側の屋根材３０と、軒側の屋根材２０と、で囲まれる空間Ｓに収容される。
【００４２】
この態様によれば、棟側の屋根材３０を施工する際には、棟側の屋根材３０の軒側端部３１を固定具４０に棟側から近づけて引っ掛け部４３に引っ掛けることができ、棟側の屋根材３０の施工作業が軽減される、という利点がある。
【符号の説明】
【００４３】
１０  下地
１１  固定面
１２  立ち上がり面
２０  軒側の屋根材
２２  棟側端部
３０  棟側の屋根材
３１  軒側端部
３２  側端部
３３  突付け箇所
４０  固定具
４１  固定部
４２  水抜き部
４３  引っ掛け部
５０  防水板
Ｓ  空間
Ｘ  軒方向
【図１】
2020159145.tif 000003
【図２】
2020159145.tif 000004
【図３】
2020159145.tif 000005
【図４】
2020159145.tif 000006
【図５】
2020159145.tif 000007
【図６】
2020159145.tif 000008
【図７】
2020159145.tif 000009
【図８】
2020159145.tif 000010
【図９】
2020159145.tif 000011
【図１０】
2020159145.tif 000012